(57)【要約】【課題】カレンダーを使用する者が自由に日付表示を行えるようにすると共に、２枚目のシートに記載された同一パターンのメッセージ群を多様に利用することができるカレンダーを提供する。【解決手段】２枚のシートを再剥離可能に貼り合わせた日めくりカレンダーであって、１枚目のシートには、１ヶ月単位で日付を表示するための日付表示予定スペースが周縁の少なくとも一部に切込みを伴って形成され、２枚目のシートには、１枚目のシートに形成される日付に対応して、表示される固有メッセージが記載され、１枚目のシートに形成された日付表示予定スペースを切込みに沿って剥がすと、剥がされた開口部に２枚目に記載された固有メッセージが表出する日めくりカレンダーを提供する。【選択図】  図１
2006123369.tif 000002
【特許請求の範囲】
【請求項１】
２枚のシートを再剥離可能に貼り合わせた日めくりカレンダーであって、
１枚目のシートには、１ヶ月単位で日付を表示するための日付表示予定スペースが周縁の少なくとも一部に切込みを伴って形成され、
２枚目のシートには、１枚目のシートに形成される日付に対応して、表示される固有メッセージが記載され、
１枚目のシートに形成された日付表示予定スペースを切込みに沿って剥がすと、剥がされた開口部に２枚目に記載された固有メッセージが表出することを特徴とする日めくりカレンダー。
【請求項２】
請求項１に記載の日めくりカレンダーにおいて、
日付表示予定スペースは、１行に７個配列された日付表示予定スペースが６行形成されたことを特徴とする日めくりカレンダー。
【請求項３】
請求項１に記載の日めくりカレンダーにおいて、
日付表示予定スペースは、１行に最大７個配列された日付表示予定スペースが６行形成され、日付表示予定スペースの数が３１個で構成されたことを特徴とする日めくりカレンダー。
【請求項４】
請求項１〜３何れか１項に記載の日めくりカレンダーにおいて、
１枚目のシートの日付表示予定スペースが形成されていない領域、または、２枚目のシートの固有メッセージが印刷されていない露出領域に、１ヶ月単位の通常表示カレンダーが印刷されていることを特徴とする日めくりカレンダー。
【請求項５】
請求項１〜４に記載の日めくりカレンダーの使用方法であって、
日付情報が日付表示予定スペースに筆記，複写，転写，プリントの何れかの方法により形成されて使用されることを特徴とする日めくりカレンダーの使用方法。
【発明の詳細な説明】
【技術分野】
【０００１】
本発明は、日めくりカレンダーとその使用方法に関し、詳しくは、１枚目のシートと２枚目のシートが再剥離可能な接着剤で貼り合わされ、１枚目のシートに形成された１日単位の日付情報表示スペースに使用者が自由に日付情報を形成し、日付情報表示スペースの周縁に形成された切込みに沿って剥がし、固有情報を表出させて使用するカレンダーに関する。
【背景技術】
【０００２】
従来から、薄紙を綴じ合わせた「日めくりカレンダー」が広く利用されている。
この「日めくりカレンダー」は、１日単位で印刷された紙片が重ねられて糊や、針金などで綴じられており、新しい日を迎えると、その前の日の紙片を切り取って、その日の日付けに切り替える。
従来の「日めくりカレンダー」は、日付が印刷された紙面に星占いや、格言、歴史的な出来事などが記載されていて楽しく、また、便利なものである。
一方で、従来の「日めくりカレンダー」は、製造上の幾つかの課題を抱えていた。
例えば、カレンダーは、休日や、祝日などが突然追加されたり、祝日の名称が変更されたりするために、日めくりカレンダーに限らず、２年以上先のカレンダーを作製することは通常行われていない。そのために、印刷した用紙を４００枚近く重ねて丁合する専用機を導入しても、上述のように１年に１度稼動するだけで、設備償却費を捻出することが困難であった。その結果、専用機も無く、１年分の印刷済みの用紙を重ね合わせる作業は、一部手作業に頼るなど、決して効率的ではなかった。
1日分を多面付けで印刷し、多面付けされた印刷物を１日毎に順次積み重ねる方式で手丁合した場合、丁合ミスによる、落丁（欠落），乱丁（同じものが複数枚綴じられる，または、順序が入れ替わる）によって出荷できないものが数多く発生する。
また、落丁や、乱丁を防ぐことができても、薄い紙による４００枚近い束をカレンダー単位の小さい面積毎に自動裁断し、再び小さい面積のカレンダー単位に整え直す作業が極めて能率が悪く、長年の課題となっていた。
【０００３】
一方、カレンダー部分が厚く，重くなるために、カレンダーを支える台紙が厚くなり、その結果、材料費が高くなりコストアップとなっていた。
また、毎日紙を千切って捨てるという構成であるために、資源保護の面で決して好ましい形態とはいえず、また、でき上がった製品は、梱包し難く、輸送効率が悪かった。
【０００４】
そこで、カレンダーの日付け部分を１日毎に剥して使用するカレンダーが提案されている（例えば特許文献１参照）。
提案されている技術によれば、カレンダーの日付け部分を１日毎の小片にして毎日めくって剥がせるようにシール貼りをするというものである。
【０００５】
【特許文献１】登実第３０１６１０１号公報
【発明の開示】
【発明が解決しようとする課題】
【０００６】
前述の特許文献１で開示されている技術は、日付表示紙片が台紙に剥離可能に貼付されているだけで、従来の日めくりカレンダーに見られる遊び要素を併せ持っていない。
そこで、カレンダーを使用する者が自由に日付表示を行えるようにすると共に、２枚目のシートに記載された同一パターンのメッセージ群を多様に利用することができる技術を提供する。
【課題を解決するための手段】
【０００７】
前記課題の目的を達成するために、本発明の日めくりカレンダーの請求項１に記載の発明は、２枚のシートを再剥離可能に貼り合わせた日めくりカレンダーであって、１枚目のシートには、１ヶ月単位で日付を表示するための日付表示予定スペースが周縁の少なくとも一部に切込みを伴って形成され、２枚目のシートには、１枚目のシートに形成される日付に対応して、表示される固有メッセージが記載され、１枚目のシートに形成された日付表示予定スペースを切込みに沿って剥がすと、剥がされた開口部に２枚目に記載された固有メッセージが表出することを特徴とするものである。
【０００８】
また、請求項２に記載の発明は、請求項１に記載の発明において、日付表示予定スペースは、１行に７個配列された日付表示予定スペースが６行形成されたことを特徴とするものである。
【０００９】
また、請求項３に記載の発明は、請求項１に記載の発明において、日付表示予定スペースは、１行に最大７個配列された日付表示予定スペースが６行形成され、日付表示予定スペースの数が３１個で構成されたことを特徴とするものである。
【００１０】
また、請求項４に記載の発明は、請求項１〜３何れか１項に記載の発明において、１枚目のシートの日付表示予定スペースが形成されていない領域、または、２枚目のシートの固有メッセージが印刷されていない露出領域に、１ヶ月単位の通常表示カレンダーが印刷されていることを特徴とするものである。
【００１１】
また、請求項５に記載の発明は、請求項１〜４に記載の日めくりカレンダーの使用方法であって、日付情報が日付表示予定スペースに筆記，複写，転写，プリントの何れかの方法により形成され、使用されることを特徴とするものである。
【発明の効果】
【００１２】
１）請求項１に記載のように、２枚のシートを再剥離可能に貼り合わせた日めくりカレンダーであって、１枚目のシートには、１ヶ月単位で日付を表示するための日付表示予定スペースが周縁の少なくとも一部に切込みを伴って形成され、２枚目のシートには、１枚目のシートに形成される日付に対応して、表示される固有メッセージが記載され、１枚目のシートに形成された日付表示予定スペースを切込みに沿って剥がすと、剥がされた開口部に２枚目に記載された固有メッセージが表出することによって、利用者は日付表示予定スペースに自由に日付を配置してカレンダーを使用することができる。
その結果、２枚目のシートに同一のメッセージ群が印刷されていても、使用者によって異なるメッセージを表出することができ、楽しみながら使用することができる。
２）また、請求項２に記載のように、請求項１に記載の発明において、日付表示予定スペースは、１行に７個配列された日付表示予定スペースが６行形成されたことことによって、１年のどの月にも対応することができ、利用者は１週間のスタートを自由に設定したり、月によって使用しないスペースが生じた場合に、空いたスペースを、例えば、午前と午後に分けて使用したり、男性と女性で日めくりする場所に変化を持たせたりすることができる。
３）また、請求項３に記載のように、請求項１に記載の発明において、日付表示予定スペースは、１行に最大７個配列された日付表示予定スペースが６行形成され、日付表示予定スペースの数が３１個で構成されたことことによって、日付表示予定スペースの配列を通常カレンダーに近い配列とすることができる。
４）また、請求項４に記載のように、請求項１〜３何れか１項に記載の発明において、
１枚目のシートの日付表示予定スペースが形成されていない領域、または、２枚目のシートの固有メッセージが印刷されていない露出領域に、１ヶ月単位の通常のカレンダーが印刷されていることによって、日めくりカレンダーの日付表示が前述のように変化しても通常表示カレンダーが併せて表示されているため、外からの問い合わせがあったときや、予定を組む時などに便利である。
５）また、請求項５に記載のように、請求項１〜４に記載の日めくりカレンダーの使用方法であって、日付表示予定スペースに日付情報が筆記，複写，転写，プリントの何れかの方法により形成されて使用されることによって、休日のサイクルが異なる職種の利用者等に対して便利で、その結果、日めくり跡の開口部に占いや、格言などが周囲と異なって表示され、楽しみ要素が増大する。
【発明を実施するための最良の形態】
【００１３】
以下図面を参照して、本発明の日めくりカレンダーについて説明する。
図１は、本発明の日めくりカレンダーの一例について説明するための図，図２は、本発明の日めくりカレンダーの、使用開始後５日目の状態の一例について説明するための図，図３は、図２のＡ−Ａ矢視断面の一例について説明するための図，図４は、本発明の日めくりカレンダーの日付情報が形成される前の状態の一例について説明するための図，図５は、本発明の日めくりカレンダーの２枚目のシートに印刷された固有メッセージについて説明するための図，図６は、本発明の日めくりカレンダーの空きスペースの利用方法の一例について説明するための図，図７は、切込みの一例について説明するための図，である。
【００１４】
図１を参照して、本発明の日めくりカレンダーの一例について説明する。
日めくりカレンダー１は、１枚目のシート２と２枚目のシート３が、再剥離可能な接着剤で貼り合わされている。
図１に示すカレンダーの例は、１ヶ月の日めくりカレンダー１の例で、１枚目のシート２には、日付表示予定エリアに水曜日から始まる日付情報が形成されている。また、２枚目のシート３の露出面には２００５年の１月の通常表示カレンダー３００が印刷されている。
まず、日付表示部２１１に示す、例えば、「１１」の日付数字を、日付表示がないブランクのカレンダーに、筆記用具，コピー機，印刷機などにより記載、または、出力表示する。
それぞれの日付表示部の周縁には、例えば「１１日」の日付の周縁に表示しているように切込み２０が形成され、１枚目のシート２に形成された日付表示部が２枚目のシート３から剥ぎ取ることができるようになっている。
前記切込みは、図７に示すように、完全に剥がせるように抜かれていても、途中のカットが一部ミシン目状になっていて繋がっていてもよい。
以下の説明における「切込み」は、「日付表示部を完全に剥ぎ取ることができる切込み」の例で説明する。
【００１５】
図１に示す実施形態では、前述のように使用者の都合で曜日が水曜日から始まるようになっており、２枚目のシートの上部の日めくり部が形成されていない領域に通常表示カレンダー３００が印刷されている。この通常表示カレンダーは、日曜日から始まるように日付が表示されている。
この通常のカレンダーは、利用者に渡る前に印刷されている。
【００１６】
曜日を示す曜日表示部２００の下の部分には、横方向に７個の日付表示スペースが形成された「ブロック」が６行（６段）にわたって形成されている。
これは、最多３１日の月のカレンダーが最上行の、右端７個目の日付表示スペースから開始されても、３１日目が最下行の日付表示スペース内に表示されるようにするためである。
この表示形態の場合は、日付が表示されない日付表示スペースが毎月いくつか発生するが、その部分はブランクにしておくか、図６で説明する方法で利用する。
このような実施形態の他に、日付表示スペースが最大３１になるように日付表示スペースを形成する方法もある。この場合は、最初の日付がスタートする位置を固定して、その月の、その日付の曜日表示部の位置を合わせるようにする。
【００１７】
２枚目のシート３の上部、１枚目のシート２に覆われない露出面には、年月を知らせる情報「Ｊａｎｕａｒｙ  ２００５」と、その月の通常表示カレンダー３００が印刷されている。
図１では、年月を知らせる情報「Ｊａｎｕａｒｙ  ２００５」と、その月の通常表示カレンダー３００が２枚目のシート３に印刷されているが、１枚目のシート２の上部を拡張して、１枚目のシート２上に印刷してもよい。
図１に示す、２枚目のシート３の、１枚目のシート２と貼り合わされたエリアには、日付表示予定スペースと同じ数の固有メッセージが、１枚目のシートの日付表示部に対応して印刷されている。
固有メッセージの欄には、易断，星占い等の、その日の運勢情報のほかに、格言等、ためになる情報等が印刷されている。
【００１８】
図２を参照して、本発明の日めくりカレンダーの使用開始５日後の状態の一例について説明する。
図１で説明したように、日めくりカレンダー１の２枚目のシート３の上部露出面には、２００５年の１月の通常表示カレンダー３００が印刷され、１枚目のシート２が貼り合わされている。
１枚目のシート２に表示された日付表示部の周縁には、１月１１日の日付表示部２１１の周縁に示すような切込み２０が形成されている。
切り込みは、日付が表示されていない日付表示予定スペースの周縁にも形成されており、２枚目のシート３から剥ぎ取ることができるようになっている。
【００１９】
この実施形態の場合は、２００５年の１月（Ｊａｎｕａｒｙ）は日曜日が開始日になっているが、日めくりカレンダーの日付表示部は水曜日から始まるようになっている。
１月が始まると、中央部の「１」の日付表示部から切込みに沿って引き剥がす。４日目の開口部には、その日の運勢として「血液型Ｏ型の人と出かけると吉」と２枚目のシート３に印刷された固有メッセージ３０７が表出する。１月１，２，３，５日の開口部からもそれぞれ異なったメッセージが表出されている。
本実施形態の説明では、切込みの一部が完全に繋がっていたり、ミシン目状のカット部で繋がっていて日付表示部を剥ぎ取ることができない状態でも、めくられた跡の部分を「開口部」という。
日めくりカレンダーでは、剥がされた最後の日が「今日」である。つまり、図２に示す日めくりカレンダー１が示す日付は、１月５日である。
【００２０】
図３を参照して、図２のＡ−Ａ矢視断面の一例について説明する。
日めくりカレンダーは、１枚目のシート２が、上下方向が１枚目のシートより大きい２枚目のシート３に再剥離可能な接着剤４で張り合わされた構成になっている。接着剤４の下側、２枚目のシート３の表面には、少なくとも接着面全面に剥離剤５が形成されている。
２枚目のシート３には、１枚目のシート２と貼り合わされた部分に少なくとも固有メッセージ３０７が、露出した面に通常表示カレンダー３００が印刷されている。
１枚目のシート２には、日付表示部紙片を剥がすための切込み２０が形成されている。１枚目のシート２に形成された切込み２０は、接着剤４が粘着剤の場合は、粘着剤の層まで到達しており、日付表示部紙片と共に剥ぎ取られる。
剥ぎ取られた跡の開口部には、固有メッセージ３０７が表出する。
また、日付表示部紙片の表面には日付情報２１１が、筆記具によって記載，コピーによって複写，プリンタなどによって印刷，等の手段によって形成されている。
【００２１】
図４を参照して、本発明の日めくりカレンダーの日付情報が形成される前の状態の一例について説明する。
日めくりカレンダー１は、１枚目のシート２と２枚目のシート３とが再剥離可能な接着剤で貼り合わされ、１枚目のシート２には、日付表示予定スペース２１１に示すように、日付表示予定スペースの位置に合わせて、切込み２０が施されている。また、曜日を記載するための曜日表示予定スペース２００が設けられている。
２枚目のシート３には年月表示「Ｊａｎｕａｒｙ  ２００５」と、２００５年１月の通常表示カレンダー３００が印刷されている。
前述のように、「Ｊａｎｕａｒｙ  ２００５」と、２００５年１月の通常表示カレンダーは、1枚目のシートを延長して１枚目のシート上に印刷されてもよい。
【００２２】
図５を参照して、本発明の日めくりカレンダーの２枚目のシートに印刷された固有メッセージについて説明する。
２枚目のシート３の１枚目のシートの日付表示部の対応部分には、１枚目のシートに形成される開口部の内側に納まるように、それぞれに内容が異なる固有メッセージ３０７が４２個または３１個配置されて記載される。
日めくりカレンダー１は、前述の固有メッセージの配列を変えたものが数種類から、数十種類用意され、利用者に供給される。
固有メッセージの内容は、星占いや、易断のような内容になっていて、利用者は選択することができるようになっている。
２枚目のシート３の上部には２００５年１月の通常表示カレンダー３００が印刷されている。
その他、１枚目のシート２，２枚目のシート３には、カレンダーに関わる図柄が印刷されている。
【００２３】
図６を参照して、本発明の日めくりカレンダーの空きスペースの利用方法の一例について説明する。
図の日めくりカレンダー１は、固有メッセージを伴った日付表示予定スペースが４２個用意されており、３１日の月には、空きスペースが１１個発生する。また、２月の場合は多い年で１４個の空きスペースが発生する。
この空きスペースを有効に利用するために、月の前半は１日に２つの日付表示予定スペースを使用し、男女で使い分けたり、午前と午後に分けて利用することができる。
図６に示す日めくりカレンダーは女性用で、通常は日付表示部２０３を剥がして使用するが、男性が利用する場合は「クローバー」が表示された日付表示部２０２を剥がして使用する。その結果、同じ日でも男性と女性では異なった固有メッセージが表示される。
２枚目のシート３の上部には２００５年１月の通常表示カレンダー３００が印刷されている。
【００２４】
図７を参照して、切込みの一例について説明する。
ａ図に示す切込みは、日付表示部の周縁に形成された切込みの一部（上部）がアンカット部によって繋がっている切込みの例である。また、ｂ図に示す切込みは、ａ図のアンカット部がミシン目状になっている切込みの例である。
ｃ図に示す切込みは、日付表示部の周縁に形成された切込みの一部（右部）がアンカット部によって繋がっている切込みの例である。また、ｄ図に示す切込みは、ｃ図のアンカット部がミシン目状になっている切込みの例である。
これらの切込みは、押し型によってハーフカット状に形成される。
【００２５】
（材料）
図３を参照して、使用する材料の一例について説明する。
１枚目のシート基材２として４０〜８２ｇ／ｍ2の上質紙，コート紙，クラフト紙等から選択して使用する。
また、２枚目のシート基材３として、６４〜１０５ｇ／ｍ2の上質紙，コート紙，クラフト紙等から選択して使用する。
印刷インキは、市販されているＵＶ乾燥型のオフセットインキや通常のオフセットインキを使用する。
また、接着剤４として、再剥離再接着可能な粘着剤を使用する場合は、２ＥＨＡ（２エチルヘキシルアクリレート）等のガラス転移温度が低いアクリル樹脂をエマルジョン化したものを、再剥離可能な接着剤を使用する場合は、公知の擬似接着構造用接着剤等を使用する。
剥離剤５は、再剥離再貼付可能な粘着剤に対しては、市販されているＵＶ乾燥型のオフセットメジウムをそのまま、または、シリコンなどの剥離材料を混合して使用する。オフセットインキ以外に白金触媒を利用する熱硬化型剥離インキを使用することもできる。
使用される材料，材料の重量や厚さは、本発明の日めくりカレンダーに適したものであれば上述のものに拘るものではない。
【産業上の利用可能性】
【００２６】
安価で嵩張らず、その人に固有の日めくりカレンダーとして利用できる。
【図面の簡単な説明】
【００２７】
【図１】本発明の日めくりカレンダーの一例について説明するための図である。
【図２】本発明の日めくりカレンダーの、使用開始後５日目の状態の一例について説明するための図である。
【図３】図２のＡ−Ａ矢視断面の一例について説明するための図である。
【図４】本発明の日めくりカレンダーの日付情報が形成される前の状態の一例について説明するための図である。
【図５】本発明の日めくりカレンダーの２枚目のシートに印刷された固有メッセージについて説明するための図である。
【図６】本発明の日めくりカレンダーの空きスペースの利用方法の一例について説明するための図である。
【図７】切込みの一例について説明するための図である。
【符号の説明】
【００２８】
１      本発明の日めくりカレンダー
２      １枚目のシート（１枚目のシート基材）
３      ２枚目のシート（２枚目のシート基材）
４      接着剤，粘着剤
５      剥離剤
２０    切込み
２００  曜日表示部
２０２，２０３，２１１  日付表示予定スペース，日付表示部
３００  通常表示カレンダー
３０７  固有メッセージ
２１１０  日付情報
【図１】
2006123369.tif 000003
【図２】
2006123369.tif 000004
【図３】
2006123369.tif 000005
【図４】
2006123369.tif 000006
【図５】
2006123369.tif 000007
【図６】
2006123369.tif 000008
【図７】
2006123369.tif 000009